(57)【要約】【課題】受取人が宅配物を容易に受け取ることができる宅配物受け取りシステムを提供することを課題とする。【解決手段】宅配業者が宅配物９を第１の宅配物情報読み取り機７に近づけると、タグ１２及び１３から宅配物情報が読み取られる。この宅配物情報が正しい宅配物を表していると判断されると、受領口ドア５ａのロックが解除されて受領可能な状態となる。ここで、宅配物９を移載本体４上において受領口ドアを閉めると、今度は第２の宅配物情報読み取り機８によりタグから宅配物情報が読み取られ、この宅配物情報と第１の宅配物情報読み取り機による宅配物情報とが一致すると、受領口ドアが閉状態にロックされて、移載本体により宅配物が保管庫１へ収納される。住人が携帯端末機１６により取出情報を入力すると、移動本体により保管庫へ収納されている宅配物が宅配物取出し口６まで搬送される。【選択図】図１
2005225589.tif 000002
【特許請求の範囲】
【請求項１】
宅配物を保管するための保管庫と、
宅配業者から宅配物を受領するための宅配物受領口と受取人が宅配物を取り出すための宅配物取出し口とを有し、これら宅配物受領口と前記保管庫と宅配物取出し口との間を移動して宅配物を搬送すると共に前記保管庫への宅配物の出し入れを行うための搬送移載装置と、
前記宅配物受領口にロック可能に取り付けられた受領口ドアと、
前記宅配物受領口の近傍に配置されると共に宅配業者が宅配物に固有な宅配物情報を入力するための第１の宅配物情報入力部と、
受取人が前記保管庫から宅配物を取り出すための取出情報を入力するための操作部と、
宅配業者により前記第１の宅配物情報入力部から入力された宅配物情報が正しい宅配物を表していると判断すると前記受領口ドアのロックを解除して受領可能な状態にし、前記搬送移載装置に宅配物を受領すると前記受領口ドアを閉状態にロックすると共に前記搬送移載装置により宅配物を前記保管庫へ収納し、受取人により前記操作部から入力された取出情報に基づいて前記搬送移載装置により前記保管庫から宅配物を取り出して前記宅配物取出し口まで搬送する制御部と、
を備える宅配物受け取りシステム。
【請求項２】
前記宅配物には宅配物情報が書き込まれたタグが取り付けられ、前記第１の宅配物情報入力部は前記タグから宅配物情報を読み取るための第１の宅配物情報読み取り機である請求項１に記載の宅配物受け取りシステム。
【請求項３】
前記タグは、ＲＦＩＤからなる請求項２に記載の宅配物受け取りシステム。
【請求項４】
前記搬送移載装置の内部に前記タグから宅配物情報を読み取るための第２の宅配物情報読み取り機を配置し、宅配物の受領時に前記制御部は前記第１の宅配物情報読み取り機で読み取られた宅配物情報と前記第２の宅配物情報読み取り機で読み取られた宅配物情報とが一致するか否かを確認し、一致する場合だけ前記搬送移載装置により宅配物を前記保管庫へ収納する請求項３に記載の宅配物受け取りシステム。
【請求項５】
前記保管庫に収納し得る大きさに形成された保管ボックスをさらに備え、宅配物は前記保管ボックス内に収容された状態で前記搬送移載装置により搬送されると共に前記保管庫へ出し入れされる請求項１〜４のいずれか一項に記載の宅配物受け取りシステム。
【請求項６】
前記制御部は、宅配業者から前記搬送移載装置に宅配物を受領した後に電子情報により受領証明を宅配業者に送信する請求項１〜５のいずれか一項に記載の宅配物受け取りシステム。
【請求項７】
前記制御部は、宅配業者から前記搬送移載装置に宅配物を受領した後に電子情報により受取人に宅配物の受領情報を通知する請求項１〜５のいずれか一項に記載の宅配物受け取りシステム。
【請求項８】
前記保管庫は、それぞれの宅配物を収納する複数の保管部を有する請求項１〜７のいずれか一項に記載の宅配物受け取りシステム。
【発明の詳細な説明】
【技術分野】
【０００１】
この発明は、宅配物受け取りシステムに関する。
【背景技術】
【０００２】
例えば、特許文献１には、受取人の不在時に、宅配業者から宅配物を受領して保管する宅配ボックスが開示されている。この宅配ボックスでは、宅配物を受領すると、その受領事実を電子メールなどにより受取人に通知する構成になっている。
【０００３】
【特許文献１】特開２００１−１７５５５５号公報
【発明の開示】
【発明が解決しようとする課題】
【０００４】
しかしながら、一般に、宅配ボックスは玄関などに隣接して設けられているため、受取人は上述の電子メールなどにより宅配物の受領を確認すると、宅配ボックスのところまで行って、宅配ボックス内から宅配物を取り出し、さらにこの宅配物を部屋まで運ぶ必要がある。特に、宅配物が重量物である場合、宅配物を部屋まで運ぶことは受取人にとって負担になってしまうという問題があった。
この発明はこのような問題点を解消するためになされたもので、受取人が宅配物を容易に受け取ることができる宅配物受け取りシステムを提供することを目的とする。
【課題を解決するための手段】
【０００５】
この発明に係る宅配物受け取りシステムは、宅配物を保管するための保管庫と、宅配業者から宅配物を受領するための宅配物受領口と受取人が宅配物を取り出すための宅配物取出し口とを有し、これら宅配物受領口と保管庫と宅配物取出し口との間を移動して宅配物を搬送すると共に保管庫への宅配物の出し入れを行うための搬送移載装置と、宅配物受領口にロック可能に取り付けられた受領口ドアと、宅配物受領口の近傍に配置されると共に宅配業者が宅配物に固有な宅配物情報を入力するための第１の宅配物情報入力部と、受取人が保管庫から宅配物を取り出すための取出情報を入力するための操作部と、宅配業者により第１の宅配物情報入力部から入力された宅配物情報が正しい宅配物を表していると判断すると受領口ドアのロックを解除して受領可能な状態にし、搬送移載装置に宅配物を受領すると受領口ドアを閉状態にロックすると共に搬送移載装置により宅配物を保管庫へ収納し、受取人により操作部から入力された取出情報に基づいて搬送移載装置により保管庫から宅配物を取り出して宅配物取出し口まで搬送する制御部とを備えるものである。
【０００６】
宅配業者が第１の宅配物情報入力部により宅配情報を入力し、制御部によりこの宅配物情報が正しい宅配物を表していると判断されると、受領口ドアのロックが解除されて受領可能な状態になる。ここで、宅配業者から搬送移載装置に宅配物が受領されると、制御部により受領口ドアが閉状態にロックされると共に搬送移載装置により宅配物が保管庫へ収納される。また、受取人が操作部から取出し情報を入力すると、この取出情報に基づいて制御部が宅配物を搬送移載装置により保管庫から取り出して宅配物取出し口まで搬送する。
【０００７】
宅配物には宅配物情報が書き込まれたタグが取り付けられ、第１の宅配物情報入力部はタグから宅配物情報を読み取るための第１の宅配物情報読み取り機であることが好ましく、この場合、タグはＲＦＩＤからなることがより好ましい。ここでさらに、搬送移載装置の内部にタグから宅配物情報を読み取るための第２の宅配物情報読み取り機を配置し、宅配物の受領時に制御部は第１の宅配物情報読み取り機で読み取られた宅配物情報と第２の宅配物情報読み取り機で読み取られた宅配物情報とが一致するか否かを確認し、一致する場合だけ搬送移載装置により宅配物を保管庫へ収納するようにすることができる。
【０００８】
また、保管庫に収納し得る大きさに形成された保管ボックスをさらに備え、宅配物は保管ボックス内に収容された状態で搬送移載装置により搬送されると共に保管庫へ出し入れされることが好ましい。
また、制御部は、宅配業者から搬送移載装置に宅配物を受領した後に電子情報により受領証明を宅配業者に送信することが好ましい。
また、制御部は、宅配業者から搬送移載装置に宅配物を受領した後に電子情報により受取人に宅配物の受領情報を通知することが好ましい。
さらに、保管庫はそれぞれの宅配物を収納する複数の保管部を有することが好ましい。
【発明の効果】
【０００９】
この発明によれば、搬送移載装置により宅配物が受領されて保管庫に保管されると共に、受取人が操作部へ取出情報を入力することにより宅配物は保管庫から取り出されて宅配物取出し口まで搬送されるので、受取人が宅配物を部屋まで運ぶ必要がなく、これにより受取人が宅配物を容易に受け取ることができる。
【発明を実施するための最良の形態】
【００１０】
以下、この発明の実施の形態を添付図面に基づいて説明する。
図１に、この発明の実施の形態に係る宅配物受け取りシステムの全体構成を示す。このシステムは、住宅の壁の内部に鉛直方向に延在するように形成された保管庫１を有しており、保管庫１の内部には５個の保管部１ａが区画形成されている。また、この保管庫１に隣接するように搬送移載装置２が配置されている。この搬送移載装置２は、保管庫１に沿って住宅の１階から２階に亙って延在する搬送通路３と、この搬送通路３に沿って昇降して保管部１ａへの宅配物の出し入れを行う移動本体４とを有している。
【００１１】
ここで、搬送通路３の一方の側部壁面３ａは住宅の外壁の一部から構成されており、この壁面３ａの下部に、住宅の外部に臨むと共に宅配業者から宅配物を受領するための宅配物受領口５が配置されている。この受領口５は例えば住宅の玄関に隣接するように配置されている。また、搬送通路３の他方の側部壁面３ｂには、住宅の２階の室内に臨む宅配物取出し口６が配置されている。これら宅配物受領口５及び宅配物取出し口６には開閉自在の受領口ドア５ａ及び取出し口ドア６ａがそれぞれ取り付けられており、各ドア５ａ及び６ａは図示しないロック部材によりロックされる構成になっている。
また、搬送通路３の側部壁面３ａの外部には、宅配物に固有な情報を読み取るための第１の宅配物情報読み取り機７が受領口ドア５ａの上部に位置するように取り付けられている。同様に、移動本体４にも、宅配物に固有な宅配物情報を読み取るための第２の宅配物情報読み取り機８が配置されている。
【００１２】
またここで、宅配業者により宅配される宅配物９は、品物１０とこの品物１０を包装する包装材１１とから構成されており、品物１０にはＲＦＩＤからなり且つこの品物１０に固有な情報（この品物１０の名称や製造日、製造元、有効期限など）が書き込まれたタグ１２が製造業者などにより取り付けられている。また、包装材１１には、ＲＦＩＤからなり且つこの宅配物９の物流に関する情報（正規の宅配物であること、宛名、宛先の住所及び電話番号など）が書き込まれたタグ１３が宅配業者などにより取り付けられている。
【００１３】
また、この宅配物受け取りシステムは、保管庫１の各保管部１ａに収納し得る大きさに形成された保管ボックス１４を有しており、宅配物９は保管ボックス１４内に収容された状態で搬送移載装置２の移動本体４により搬送されると共に保管庫１の保管部１ａに出し入れされる。そのため、宅配物９が移動本体４からはみ出て搬送移載装置２内で引っ掛かる等の不具合が生じず、安全な搬送及び移載が行える。
さらに、第１及び第２の宅配物情報読み取り機７及び８は、近接する所定範囲内に位置するタグから、このタグに書き込まれた情報を非接触で読み取ることができるものである。第１の宅配物情報読み取り機７に宅配物９を近づけると、この読み取り機７は宅配物情報として、タグ１２から品物１０に固有な情報を、タグ１３からこの宅配物９の物流に関する情報をそれぞれ読み取る。また、宅配物９を保管ボックス１４内に収容した状態で移動本体４上に載置すると、第２の宅配物情報読み取り機８は、第１の宅配物情報読み取り機７と同様に、タグ１２及び１３から品物１０に固有な情報とこの宅配物９の物流に関する情報とを宅配物情報として読み取る。
【００１４】
また、この宅配物受け取りシステムは制御部として収納管理コンピュータ１５を有しており、このコンピュータ１５により搬送移載装置２の動作が制御されている。また、この収納管理コンピュータ１５には、第１及び第２の宅配物情報読み取り機７及び８で読み取られた宅配物情報や、宅配物が保管庫１のどの保管部１ａに収納されているか等の情報が蓄積され管理されている。さらに、この宅配物受け取りシステムには、宅配物を取り出すための取出情報などを住人が入力するための携帯端末機１６が設けられており、この端末機１６により収納管理コンピュータ１５に指示を送って搬送移載装置２を操作することができる構成になっている。また、この携帯端末機１６により収納管理コンピュータ１５にアクセスして宅配物情報の検索及び閲覧をすることができるようになっている。
【００１５】
なお、保管庫１において、宅配物９が保管されていない保管部１ａには、空きの保管ボックス１４が収納されている。
また保管ボックス１４の下部には車輪１４ａが取り付けられており、この保管ボックス１４を台車として使用することができる。
また、宅配業者による宅配物９を宅配物受領口５から受領する場合、及びこの住宅の住人が宅配物取出し口６から宅配物９を取り出す場合以外は、収納管理コンピュータ１５により宅配物受領口５の受領口ドア５ａ及び宅配物取出し口６の取出し口ドア６ａは閉状態にロックされている。また、収納管理コンピュータ１５は、これら受領口ドア５ａ及び取出し口ドア６ａを閉状態にロックした上で移動本体４を動作させるため、高い安全性が確保される。
また、収納管理コンピュータ１５には、正規の宅配物であることを表す情報や、この住宅の住人の名前、住所、電話番号などの情報が宅配物基本情報として予め登録されている。
【００１６】
次に、この発明の実施の形態に係る宅配物受け取りシステムの動作を説明する。まず、宅配業者が宅配物９を配達した際に宅配物９を第１の宅配物情報読み取り機７に近づけると、この読み取り機７により宅配物９のタグ１２及び１３から宅配物情報が読み取られ、収納管理コンピュータ１５に伝送される。このとき、収納管理コンピュータ１５はこの宅配物情報と、予め登録されている宅配物基本情報とを照合確認することにより、この宅配物情報が正しい宅配物を表しているか否かを判断する。すなわち、この宅配物９が正規の宅配物であるか否か、また、この宅配物９がこの住宅の住人宛のものか否かを判断する。ここで、宅配物情報が正しい宅配物を表していると判断すると、収納管理コンピュータ１５は搬送移載装置２の移動本体４により宅配物が保管されていない保管部１ａの保管ボックス１４をこの移動本体４の上に取り出し、その後、移動本体４を搬送通路３の宅配物受領口５の前まで移動して受領口ドア５ａのロックを解除し、宅配物９を受領可能な状態にする。
【００１７】
ここで、宅配業者は受領口ドア５ａを開け、宅配物９を移載本体４上の保管ボックス１４内に収容した後、受領口ドア５ａを閉める。ドア５ａが閉じられると、今度は移載本体４に取り付けられた第２の宅配物情報読み取り機８によって宅配物９のタグ１２及び１３から宅配物情報が読み取られ、収納管理コンピュータ１５に伝送される。収納管理コンピュータ１５は、この第２の宅配物情報読み取り機８で読み取られた宅配物情報が、先に第１の宅配物情報読み取り機７により読み取られた宅配物情報と一致するか否かを確認する。
これらの一致を確認すると、収納管理コンピュータ１５は、受領口ドア５ａを閉状態にロックし、宅配物９の受領を確定して電子情報により宅配業者に受領証明を送信すると共に、移載本体４により保管ボックス１４をこのボックス１４が収納されていた保管庫１の保管部１ａへ搬送して収納し、その後、宅配物情報と、どの保管部１ａに宅配物が収納されたかという情報とを記憶する。さらに、収納管理コンピュータ１５は、宅配物９を受領した事実及び受領した品物１０などを表わす受領情報を携帯端末機１６により住人に通知する。
【００１８】
次に、住人が携帯端末機１６に通知された受領情報により宅配物９の受領を知り、２階の部屋から携帯端末機１６により取り出したい宅配物９を表わす情報などの取出情報を入力すると、収納管理コンピュータ１５は、この取出情報に基づいて所望の宅配物９が収納されている保管部１ａを特定すると共に、移動本体４を特定された保管部１ａの前まで移動して、この保管部１ａ内に収納されている保管ボックス１４を移動本体４上へと取り出した後、移動本体４を宅配物取出し口６の前まで移動すると共に、取出し口ドア６ａのロックを解除する。ここで、住人は取出し口ドア６ａを開けて移動本体４から保管ボックス１４を取り出し、さらに保管ボックス１４からその内部に収容された宅配物９を取り出す。
このようにして、住人は容易に宅配物の受け取りを行うことができる。
【００１９】
なお、第１の宅配物情報読み取り機７により読み取られた宅配物情報と、登録されている宅配物基本情報とが異なる場合、収納管理コンピュータ１５は宅配物９が正規の宅配物でない、または、この宅配物９がこの住宅の住人宛のものではないと判断し、受領口ドア５ａのロックを解除しないでこのドア５ａを開けられないようにする。従って、宅配物の誤配を防止することができると共に何者かが勝手にごみや危険物などを搬送移載装置２内へ挿入するなどの行為を防止することができる。
【００２０】
また、第２の宅配物情報読み取り機８で読み取られた宅配物情報が、先に第１の宅配物情報読み取り機７で読み取られた宅配物情報と一致しない場合には、収納管理コンピュータ１５は、先に第１の宅配物情報読み取り機７に近づけられた宅配物９と、移動本体４の上に置かれた宅配物９とが異なると判断し、搬送移載装置２のそれ以上の動作を停止する。従って、宅配物９の別の物へのすり替えによる宅配物９の盗難や悪戯などを防止することができる。またこのとき、エラー表示や警報を発することにより、宅配業者に宅配物９の確認及び交換を促したり、受領を行わないことを知らせるようにしてもよい。
【００２１】
また、受領証明は、電子メール、Ｗｅｂサーバ、ＦＡＸ、電話（自動応答）などの電子情報通信手段を用いて宅配業者へ送信することができる。このように電子情報により受領証明が送信されることで、捺印する手間や受領証明書などの用紙が不要となるだけでなく、宅配業者の貰い忘れなどのミスによる受領不履行を防止することができる。
同様に、住人への受領情報の通知も、上述したような電子情報通信手段を用いて行うことができる。
【００２２】
以上のように、搬送移載装置２により宅配物９が受領されて保管庫１に保管されると共に、住人の操作により宅配物９は保管庫１から取り出されて住人の生活空間まで搬送されるので、受取人である住人が宅配物９を部屋まで運ぶ必要がなく、これにより住人は宅配物９を容易に受け取ることができる。
また、保管庫１は複数の保管部１ａを有しているため、複数の宅配物を続けて受領することができる。
【００２３】
なお、上述の実施の形態では、保管庫１及び搬送移載装置２の搬送通路３は住宅の鉛直方向に延在するように形成したが、住宅の水平方向に延在するように形成しても、或いは、鉛直方向及び水平方向の双方に延在するように形成してもよい。また、斜め方向に延在するように形成してもよい。なお、保管庫１の配置に沿って搬送通路３を設定することが好ましい。
また、保管庫１の保管部１ａの数は５個に限られず、４個以下でも６個以上であってもよい。
【００２４】
また、保管庫１及び搬送移載装置２を壁の内部に配置することにより、日頃使用されないデッドスペースを有効利用することができると共に住人の生活空間が狭められることもない。また、保管庫１が生活空間から見えないため宅配物９の盗難を防止することができる。ここで、壁の内部の代わりに、保管庫１及び搬送移載装置２を階段下や屋根裏、地下などのスペースに配置してもデッドスペースを有効利用できる。その場合、保管庫１と搬送移載装置２を別々のスペースに配置してもよい。
また、搬送移載装置２の宅配物取出し口６は複数設けることができる。ここで、搬送通路３を鉛直方向及び水平方向などに延在するように形成するなどして、住宅のどこに何個設けてもよい。
【００２５】
なお、上述の実施の形態では、個人住宅を例に挙げて説明したが、この発明の宅配物受領システムは、集合住宅や、複数の店舗やオフィスが入ったテナントビルなどにも適用される。ただし、このような集合住宅やテナントビルでは、携帯端末機１６を各階ごと、或いは各部屋ごとに設けることが好ましい。また、宅配物取出し口６も、各階や、各部屋の前に設けられることが好ましい。
【００２６】
なお、上述の実施の形態において、保管ボックス１４に、ＲＦＩＤからなり且つこの保管ボックス１４に固有な情報（他の保管ボックス１４と識別するための番号など）が書き込まれたタグ１３を取り付けて、第２の宅配物情報読み取り機８によりこのタグ１３に書き込まれた情報を読み取ることにより、それぞれの保管ボックス１４を識別してもよい。その場合、例えば集合住宅やテナントビルにおいて各部屋の住人及び店舗などに各保管ボックス１４及びこのボックス１４が収納される保管部１ａを割り当てて、所定の住人宛の宅配物９が配達された際には、この住人の保管ボックス１４が移動本体４により宅配物受領口５の前へ搬送されるようにすることができる。
【００２７】
さらに、受取人ごとに、或いは保管ボックス１４ごとにパスワード等のアクセス権を設定し、携帯端末機１６などの操作部にアクセス権が入力された場合のみ、その受取人または保管ボックス１４に対応する宅配物の受領情報が検索できたり、宅配物９の取り出しが行えるようにすれば、プライバシーの保護や宅配物の盗難防止を効率よく行うことできる。このようにアクセス権を設定すれば、この宅配物収納システムを集合住宅やテナントビルなどにおいて有効に活用することができる。
【００２８】
また、移載本体４により保管ボックス１４が宅配物受領口５及び宅配物取出し口６に到着して、受領口ドア５ａ及び取出し口ドア６ａのロックが解除された際に、ブザー音やランプの点灯などにより宅配業者や受取人へ知らせるようにしてもよい。
また、受領口ドア５ａ及び取出し口６ａは、ロックの解除時に自動で開閉されるようにしてもよい。
【００２９】
また、保管庫１の保管部１ａに空きの保管ボックス１４が予め収納される代わりに、空きの保管ボックス１４を宅配物受領口５付近に配置しておいて、その保管ボックス１４に宅配業者が宅配物９を収容して移動本体４の上に置くようにしてもよい。
【００３０】
また、収納管理コンピュータ１５により宅配業者から宅配物９を受領した日時なども記憶するようにすることもでき、さらに、宅配物９に固有な宅配物情報として、差出人の住所や氏名、電話番号などの差出人に関する情報も含めることにより、いつ、どんな品物１０を、誰からもらったかなどの受領履歴及びその一覧を、携帯端末機１６で収納管理コンピュータ１６にアクセスして検索することにより受取人が宅配物９の受領情報として容易に知ることができる。
また、住人が携帯端末機１６を携帯して外出すれば、外出先でもこの端末機１６により宅配物９の受領情報を知ることができる。さらに、インターネット等により収納管理コンピュータ１５に蓄積された情報を閲覧することができるようにすれば、携帯端末機１６を携帯していなくても、外出先から容易に宅配物９の受領情報を知ることができる。
【００３１】
なお、上述の実施の形態では、ＲＦＩＤからなるタグを使用したが、バーコードからなるタグを使用することもできる。その場合、第１の宅配物情報読み取り機７を携帯型とし、宅配業者がこの読み取り機７を宅配物のタグ１２及び１３とにそれぞれ近づけることで、タグ１２及び１３に書き込まれた情報を宅配物情報として読み込むことができる。この場合、品物１０に固有な情報が書き込まれたタグ１２は、物流に関する情報が書き込まれたタグ１３と同様に、宅配物９の包装材１１に取り付けられることが好ましい。
また、第１の宅配物読み取り機７により宅配物９のタグ１２及び１３から宅配物情報を読み取る代わりに、宅配業者の手入力により宅配物情報を入力するようにしてもよい。
【００３２】
また、携帯端末機１６の代わりに、取出情報を入力するための操作部として住宅の壁等に固定される端末機を設けてもよい。
また、携帯端末機１６の機能を携帯電話に持たせることもできる。
さらに、保管ボックス１４または保管庫１に冷却装置などを取り付けて、保管ボックス１４や所定の保管部１ａを冷却するようにすれば、宅配物９の冷蔵及び冷凍保管も可能になる。
また、保管庫１を難燃材等の構造材で構成すれば、保管庫１を耐火構造にすることができる。
【図面の簡単な説明】
【００３３】
【図１】この発明の実施の形態に係る宅配物受け取りシステムを示す模式図である。
【符号の説明】
【００３４】
１  保管庫、１ａ  保管部、２  搬送移載装置、３  搬送通路、４  移動本体、５  宅配物受領口、５ａ  受領口ドア、６  宅配物取出し口、６ａ  取出し口ドア、７  第１の宅配物情報読み取り機、８  第２の宅配物情報読み取り機、９  宅配物、１０  品物、１１  包装材、１２，１３  タグ、１４  保管ボックス、１４ａ  車輪、１５  収納管理コンピュータ、１６  携帯端末機。
【図１】
2005225589.tif 000003